【手続補正書】
【提出日】平成19年3月22日(2007.3.22)
【手続補正１】
【補正対象書類名】特許請求の範囲
【補正対象項目名】全文
【補正方法】変更
【補正の内容】
【特許請求の範囲】
【請求項１】
半固体成形で使用するための金属スラリー材料を生成するための装置であって、
金属スラリー材料を含み、且つ、外側表面を有する内部体積を画定する容器と、
前記容器の前記外側表面と熱伝達した状態で配置された内側表面を有し、それら表面の間で熱輸送をもたらす熱ジャケットと、
を備え、
前記容器及び前記熱ジャケットのうち少なくとも１つは、少なくとも１つの溝を画定し、該少なくとも１つの溝に隣接したところに前記熱輸送を制限する、装置。  
【請求項２】
前記容器の前記内部体積は、長さ方向軸に沿って延在し、前記少なくとも１つの溝は、複数の軸方向にオフセットされた溝を備える、請求項１に記載の装置。
【請求項３】
前記複数の溝は、前記容器及び前記熱ジャケットのうち前記少なくとも１つの回りに周辺に沿って延在する、請求項２に記載の装置。
【請求項４】
前記複数の溝は、前記容器の前記外側表面に周辺に沿って延在する、請求項３に記載の装置。
【請求項５】
前記複数の溝の隣接する溝は、非均一なオフセット距離により軸方向にオフセットされている、請求項２に記載の装置。
【請求項６】
前記容器は、開放端部及び反対側の閉鎖端部を有し、前記非均一なオフセット距離は該閉鎖端部に向かって次第に増大する、請求項５に記載の装置。
【請求項７】
前記容器は、開放端部及び反対側の閉鎖端部を有し、前記複数の溝のうち一つの溝は前記開放端部に隣接して配置され、且つ、該複数の溝のうち別の溝の軸方向幅よりも大きい軸方向幅を有する、請求項２に記載の装置。
【請求項８】
前記少なくとも１つの溝は、所定の溝幅及び溝深さを有し、該溝幅は該溝深さよりも大きい、請求項１に記載の装置。
【請求項９】
前記溝幅は前記溝深さの少なくとも２倍である、請求項８に記載の装置。
【請求項１０】
前記容器の前記外側表面の第１の部分は、伝導熱輸送をもたらすため、前記熱ジャケットの前記内側表面に近接して配置され、
前記容器の前記外側表面の第２の部分は、対流熱輸送をもたらすため、前記少なくとも１つの溝に隣接して前記熱ジャケットの前記内側表面から隔てられている、請求項１に記載の装置。
【請求項１１】
前記外側表面の前記第１及び第２の部分は、前記容器の回りに周辺に沿って延在する、請求項１０に記載の装置。
【請求項１２】
前記熱ジャケットの少なくとも一部分の回りに配置されたステーターを更に備え、該ステーターは、前記容器内に含まれる前記金属スラリー材料に電磁攪拌力を与えるように構成されている、請求項１に記載の装置。
【請求項１３】
前記熱ジャケットは、熱輸送媒体を運ぶように構成された複数の軸上通路を備え、該熱輸送媒体は、前記熱ジャケット及び前記容器の間で前記熱輸送をもたらすため前記複数の通路を通って流れる、請求項１に記載の装置。
【請求項１４】
前記容器の前記内部体積は、前記容器から前記金属スラリー材料の吐出を容易にするため牽引角度を画定する、請求項１に記載の装置。
【請求項１５】
前記容器から前記金属スラリー材料を吐出するための手段を更に備える、請求項１に記載の装置。
【請求項１６】
前記容器は、該容器から金属スラリー材料を吐出するため前記内部体積に沿って軸方向に移動可能である、可動端部壁を備える、請求項１に記載の装置。
【請求項１７】
前記金属スラリー材料は、前記容器からショットスリーブ内に吐出され、形成部品へと実質的に直ちに成形される、請求項１６に記載の装置。
【請求項１８】
前記金属スラリー材料は、前記容器が実質的に水平配置にあるとき前記容器から吐出される、請求項１７に記載の装置。
【請求項１９】
前記金属スラリー材料は、前記容器から、直接、鋳型へと吐出され、形成部品へと実質的に直ちに成形される、請求項１６に記載の装置。
【請求項２０】
前記熱ジャケットは、内部通路を画定し、該容器は、前記熱ジャケットの前記内部通路内に取り外し可能に配置されている、請求項１に記載の装置。
【請求項２１】
前記容器の前記外側表面は、テーパー形成され、これに対応して前記熱ジャケットの前記内側表面がテーパー形成され、これにより前記容器が前記熱ジャケットの前記内部通路内に取り外し可能に配置されているとき、該容器の前記外側表面が前記熱ジャケットの前記内側表面に近接して配置される、請求項２０に記載の装置。
【請求項２２】
前記熱ジャケットは、液体金属母剤に分散された丸みを帯びた固体粒子を含む微細構造を有する半固体材料を形成するため、前記容器内に含まれる金属スラリー材料の冷却率を制御するように構成される、請求項１に記載の装置。
【請求項２３】
前記冷却率は、毎秒約１℃乃至毎秒約１０℃である、請求項２２に記載の装置。
【請求項２４】
前記冷却率は、毎秒約０．５℃乃至毎秒約５℃である、請求項２３に記載の装置。
【請求項２５】
半固体成形で使用するための金属スラリー材料を生成するための装置であって、
前記金属スラリー材料を含み、外側表面を有する内部体積を画定する容器と、
前記容器の前記外側表面と熱連通状態に配置された内側表面を有する熱ジャケットと、
を備え、
前記熱ジャケットの前記内側表面の第１の部分と前記容器の前記外側表面の第１の部分とは、伝導熱輸送を容易にするため互いに近接して配置され、
前記熱ジャケットの前記内側表面の第２の部分と前記容器の前記外側表面の第２の部分とは、対流熱輸送を容易にするため少なくとも１つの空気隙間を形成するように間隔を隔てられている、装置。
【請求項２６】
前記空気隙間は、前記内側表面及び前記外側表面のうち一つにより画定された溝により形成されている、請求項２５に記載の装置。
【請求項２７】
前記溝は、前記容器の前記外側表面の回りに周辺に延在する、請求項２６に記載の装置。
【請求項２８】
前記容器の前記内部体積は、長さ方向軸に沿って延在し、
前記内側表面の第２の部分と前記外側表面の第２の部分とは、複数の軸方向にオフセットされた空気隙間を形成するように間隔を隔てられている、請求項２５に記載の装置。
【請求項２９】
前記複数の空気隙間は、前記容器の前記外側表面の回りに周辺に延在する、請求項２８に記載の装置。
【請求項３０】
半固体成形で使用するための金属スラリー材料を生成するための装置であって、
前記金属スラリー材料を含む内部体積を画定する容器と、
前記容器の少なくとも一部分を収容するようにサイズが定められ形成された内部通路を画定する熱ジャケットと、
を備え、
前記容器及び前記熱ジャケットのうち少なくとも１つは、少なくとも１つの溝を画定し、
前記容器の前記少なくとも一部分は、該容器を前記熱ジャケットと熱連通状態に配置してそれらの間で熱輸送をもたらすため該熱ジャケットの前記内部通路内で取り外し可能に配置され、前記熱輸送は前記少なくとも１つの溝に隣接したところに制限される、装置。
【請求項３１】
前記容器の前記内部体積は、長さ方向軸に沿って延在し、前記少なくとも１つの溝は、複数の軸方向にオフセットされた溝を備える、請求項３０に記載の装置。  
【請求項３２】
前記複数の軸方向にオフセットされた溝は、前記容器及び前記熱ジャケットのうち少なくとも１つの回りに周辺に延在する、請求項３１に記載の装置。
【請求項３３】
前記複数の溝は、前記容器の外側表面の回りに周辺に延在する、請求項３２に記載の装置。
【請求項３４】
前記容器の第１の部分は、伝導熱輸送をもたらすため前記熱ジャケットに近接して配置され、
前記容器の第２の部分は、対流熱輸送をもたらすため前記少なくとも１つの溝に隣接した前記熱ジャケットから間隔を隔てられている、請求項３０に記載の装置。
【請求項３５】
前記外側表面の前記第１の部分と前記第２の部分とは、前記容器の回りに周辺に延在する、請求項３４に記載の装置。
【請求項３６】
前記容器は、テーパー形成された外側表面を備え、前記熱ジャケットは前記容器の該テーパー形成された外側表面に対応したテーパー形成された内側表面を備え、これにより前記容器が前記熱ジャケットの前記内部通路内に取り外し可能に配置されているとき、該容器の前記外側表面が前記熱ジャケットの前記内側表面に近接して配置される、請求項３０に記載の装置。
【請求項３７】
前記熱ジャケットの少なくとも一部分の回りに配置されたステーターを更に備え、該ステーターは、前記容器内に含まれる前記金属スラリー材料に電磁攪拌力を与えるように構成されている、請求項３０に記載の装置。
【請求項３８】
前記容器から前記金属スラリー材料を吐出し、該金属スラリー材料が形成部品へと実質的に直ちに成形されるようにした手段を更に備える、請求項３０に記載の装置。
【請求項３９】
前記容器は、該容器から前記金属スラリー材料を吐出して該金属スラリー材料を形成部品へと実質的に直ちに成形するため前記内部体積に沿って軸方向に移動可能な可動端部壁を備える、請求項３０に記載の装置。
【請求項４０】
半固体成形で使用するための金属スラリー材料を生成するための装置であって、
内側の層と外側の層とを備えた温度制御式容器を備え、
前記内側の層は、金属スラリー材料を収容するための内部体積を画定し、前記外側の層は、前記内側の層の少なくとも一部分の回りに配置され、
前記内側の層は、前記外側の層との間の熱輸送が効果的に行われるように、前記外側の層の内側表面と熱連通状態で配置された外側表面を有し、
前記内側表面と前記外側表面との少なくとも１つは、少なくとも１つの溝を画定し、該少なくとも１つの溝に隣接したところに前記熱輸送を制限する、装置。
【請求項４１】
前記容器の前記内部体積は、長さ方向軸に沿って延在し、前記少なくとも１つの溝は、複数の軸方向にオフセットされた溝を備える、請求項４０に記載の装置。
【請求項４２】
前記複数の溝は、前記容器の前記内側の層の前記外側表面の周囲に延在する、請求項４１に記載の装置。
【請求項４３】
前記内側の層の前記外側表面の第１の部分は、伝導熱輸送を容易にするため前記外側の層の前記内側表面に近接して配置され、
前記内側の層の前記外側表面の第２の部分は、対流熱輸送を容易にするため前記少なくとも１つの溝に隣接した前記外側の層の前記内側表面から間隔を隔てられている、請求項４０に記載の装置。